(57)【要約】【課題】画像表示プロジェクタ用のスクリーン装置において、２台の画像表示プロジェクタによる画像を素早く切替えて表示する。【解決手段】スクリーン装置１の画像表示面３は、縦横に配列された多数の光反射素子により構成されている。各光反射素子の光反射面は、光反射面と画像表示面３との成す角度が略３０°の状態に画像表示面３の正面方向Ｃを基準として右方向Ｒ又は左方向Ｌへ選択的に傾けられる。２台の画像表示プロジェクタ２Ａ，２Ｂを用いて右方向Ｒ及び左方向Ｌから画像表示面３との成す角度が略３０°で画像投射光２０ａ，２０ｂを投射し、画像表示面３を構成する各光反射素子の光反射面を右方向Ｒ又は左方向Ｌに選択的に傾けることにより、画像表示プロジェクタ２Ａ，２Ｂの何れか一方の画像投射光２０ａ，２０ｂを画像表示面３の正面方向に反射させて、その画像を表示できる。【選択図】      図１
2005010399.tif 000002
【特許請求の範囲】
【請求項１】
画像表示プロジェクタから投射される画像投射光を反射することにより該画像投射光による画像を表示する画像表示面を備えた画像表示プロジェクタ用のスクリーン装置において、
前記画像表示面を構成する、前記画像投射光を反射する縦横に配列された多数の光反射素子と、前記各光反射素子を支持する支持板とを備え、
前記各光反射素子は、
前記画像投射光を反射する白色の光反射面と、
前記光反射面が前記画像表示面の正面方向を基準として右方向及び左方向に傾き得るように前記支持板に回動自在に係合される前記光反射面の背後側に設けられた係合部と、
前記光反射面を傾けるための磁力の作用を受ける前記光反射面の背後側に設けられた磁性体とを有し、
前記支持板は、
前記各光反射素子の係合部が回動自在に係合される前記各光反射素子に対応して設けられた多数の係合部と、
前記各光反射素子の磁性体に磁力を作用させて、前記各光反射素子を前記画像表示面の正面方向を基準として右方向及び左方向に回動させる前記各光反射素子に対応して前記各係合部の右側及び左側に設けられた多数の電磁石と、
前記電磁石の磁力による前記光反射素子の前記右方向及び左方向への回動時に前記光反射素子の背後側に当接して、前記光反射面と前記画像表示面との成す角度が略３０°の状態に前記光反射面が前記右方向及び左方向へ傾くように、前記光反射素子の回動動作を規制する前記係合部の右側及び左側に設けられた規制部とを有し、
前記光反射面と前記画像表示面との成す角度が略３０°の状態に前記光反射面を前記右方向又は左方向へ傾けることにより、前記右方向及び左方向から前記画像表示面との成す角度が略３０°で前記画像表示面に投射される２台の画像表示プロジェクタからの画像投射光のうちの何れか一方を選択的に前記各光反射素子により前記画像表示面の略正面方向に反射して、該画像投射光による画像を前記画像表示面に表示可能としたことを特徴とする画像表示プロジェクタ用のスクリーン装置。
【請求項２】
画像表示プロジェクタから投射される画像投射光を反射することにより該画像投射光による画像を表示する画像表示面を備えた画像表示プロジェクタ用のスクリーン装置において、
前記画像表示面を構成する、前記画像投射光を反射する縦横に配列された多数の光反射素子を備え、
前記各光反射素子の前記画像投射光を反射する光反射面が、前記画像表示面の正面方向を基準として任意の方向に傾き得るものであることを特徴とする画像表示プロジェクタ用のスクリーン装置。
【請求項３】
前記各光反射素子は、前記光反射面が前記画像表示面の正面方向を基準として右方向及び左方向に傾き得るものであり、
前記光反射面は、前記光反射面と前記画像表示面との成す角度が略３０°の状態に前記右方向及び左方向へ選択的に傾けられるものである請求項２に記載の画像表示プロジェクタ用のスクリーン装置。
【発明の詳細な説明】
【０００１】
【発明の属する技術分野】
本発明は、画像表示プロジェクタから投射される画像投射光を反射して画像を表示する画像表示プロジェクタ用のスクリーン装置に関する。
【０００２】
【従来の技術】
従来から、パソコンやビデオカメラ等からの画像データを基に、ランプから出射される光を用いて画像形成素子により画像を形成し、その形成画像を投射してスクリーンに表示させるプロジェクタがある。このようなプロジェクタに用いられるプロジェクタ用のスクリーンは、プロジェクタから投射される画像が照射されて画像を表示する画像表示面を有している。画像表示面は、一般に、表面が白色に着色されている。プロジェクタ用のスクリーンは、プロジェクタから投射される画像投射光を画像表示面で反射することにより、その画像投射光による画像を画像表示面に映し出して表示するようになっている。
【０００３】
また、２台のプロジェクタを用いてスクリーンに対して左右両斜め方向から同じ画像を投射し、それら同じ画像をスクリーン上で一致させて重ね合わせて表示することにより、観客に対して視野を妨害することなく、また、スクリーン上の画像の明るさを均一にする投影装置が知られている（例えば、特許文献１参照）。また、複数のプロジェクタを用いて、スクリーンに表示される画像を合成したり、スクリーンに表示される画像の配置や大きさを自在に変えるようにしたマルチプロジェクションシステムが知られている（例えば、特許文献２参照）。また、液晶プロジェクタの液晶パネル位置制御装置に関し、反射角度の調整が可能な２分割ミラーを用いて３原色の３枚の液晶パネルの角度を観察することにより、これら３枚の液晶パネルの配列調整を一度に正確に行えるようにしたものが知られている（例えば、特許文献３参照）。
【０００４】
【特許文献１】
特開２００１−４３８７４号公報
【特許文献２】
特開平１０−３０１２０２号公報
【特許文献３】
特開平１０−１６１２３８号公報
【０００５】
【発明が解決しようとする課題】
ところで、１つのスクリーンに対して２台のプロジェクタを設置し、２台のプロジェクタによる画像を１つのスクリーンに交互に表示させるような場合がある。このような例としては、プロジェクタが正常に画像を投射するか否かを検査するために、２台のプロジェクタによる画像を１つのスクリーンに交互に表示させて、これら２つの画像を見較べて評価する場合である。このような画像表示プロジェクタの画像の検査は、人の脳裏に一方の画像の残像感があるうちに素早く他方の画像を表示させる必要がある。
【０００６】
ところが、上述した従来のプロジェクタ用のスクリーンにおいては、２台のプロジェクタから同時に画像を投射すると、２台のプロジェクタからの画像が重ね合わさった状態に表示されてしまう。従って、２台のプロジェクタによる画像を１つのスクリーンに交互に表示させるには、２台の画像表示プロジェクタを各々画像の投射状態と非投射状態とに切替える必要がある。しかしながら、画像を非投射状態から投射状態に切替えて投射させるには、時間を要し、２台のプロジェクタによる画像を素早く切替えて表示することができない。このため、例えば上記の画像表示プロジェクタの画像を検査する場合には、一方の画像の残像感が消えてしまって、２つの画像を見較べることによる画像の検査を精度よく行うことができなかった。なお、上述した特許文献１乃至特許文献３に開示の内容を適用したとしても、上記の課題を解決することはできない。
【０００７】
本発明は、上記課題を解決するためになされたものであり、２台の画像表示プロジェクタによる画像を素早く切替えて表示することが可能な画像表示プロジェクタ用のスクリーン装置を提供することを目的とする。
【０００８】
【課題を解決するための手段】
上記目的を達成するために請求項１の発明は、画像表示プロジェクタから投射される画像投射光を反射することにより該画像投射光による画像を表示する画像表示面を備えた画像表示プロジェクタ用のスクリーン装置において、画像表示面を構成する、画像投射光を反射する縦横に配列された多数の光反射素子と、各光反射素子を支持する支持板とを備え、各光反射素子は、画像投射光を反射する白色の光反射面と、光反射面が画像表示面の正面方向を基準として右方向及び左方向に傾き得るように支持板に回動自在に係合される光反射面の背後側に設けられた係合部と、光反射面を傾けるための磁力の作用を受ける光反射面の背後側に設けられた磁性体とを有し、支持板は、各光反射素子の係合部が回動自在に係合される各光反射素子に対応して設けられた多数の係合部と、各光反射素子の磁性体に磁力を作用させて、各光反射素子を画像表示面の正面方向を基準として右方向及び左方向に回動させる各光反射素子に対応して各係合部の右側及び左側に設けられた多数の電磁石と、電磁石の磁力による光反射素子の右方向及び左方向への回動時に光反射素子の背後側に当接して、光反射面と画像表示面との成す角度が略３０°の状態に光反射面が右方向及び左方向へ傾くように、光反射素子の回動動作を規制する係合部の右側及び左側に設けられた規制部とを有し、光反射面と画像表示面との成す角度が略３０°の状態に光反射面を右方向又は左方向へ傾けることにより、右方向及び左方向から画像表示面との成す角度が略３０°で画像表示面に投射される２台の画像表示プロジェクタからの画像投射光のうちの何れか一方を選択的に各光反射素子により画像表示面の略正面方向に反射して、該画像投射光による画像を画像表示面に表示可能としたものである。
【０００９】
この構成においては、画像表示面を構成する各光反射素子は、各光反射素子に対応して設けられた電磁石の磁力により、係合部を軸にして画像表示面の正面方向を基準として係合部を軸に右方向及び左方向に回動される。このとき、各光反射素子の光反射面は、各光反射素子の背後側が規制部に当接することにより、光反射面と画像表示面との成す角度が略３０°で右方向及び左方向へ傾けられた状態となる。そして、各光反射素子の光反射面が右方向へ傾けられた状態では、右方向から画像表示面との成す角度が略３０°で画像表示面に投射される光は、光反射面で画像表示面の正面方向に反射され、逆に、左方向から画像表示面との成す角度が略３０°で画像表示面に投射される光は、光反射面と平行となるため光反射面で反射されない。一方、各光反射素子の光反射面が左方向へ傾けられた状態では、右方向から画像表示面との成す角度が略３０°で画像表示面に投射される光は、光反射面と平行となるため光反射面で反射されず、逆に、左方向から画像表示面との成す角度が略３０°で画像表示面に投射される光は、光反射面で画像表示面の正面方向に反射される。
【００１０】
従って、画像表示プロジェクタを画像表示面の正面の右側又は左側に設置し、右方向又は左方向から画像表示面との成す角度が略３０°で画像投射光を画像表示面に投射すれば、各光反射素子の光反射面の向きを右方向と左方向とに選択的に変えることにより、画像表示面に画像が表示される表示状態と画像が表示されない非表示状態とを素早く切替えることができる。このとき、画像表示面との成す角度が略３０°で投射される画像投射光は、画像表示面の正面方向に反射される状態と画像表示面から反射されない状態とに切替えられるため、画像の表示状態と非表示状態とが確実に切替えられる。
【００１１】
また、例えば、２台の画像表示プロジェクタを画像表示面の正面の左右両側に設置して右方向及び左方向から画像表示面との成す角度が略３０°で同時に画像投射光を投射すれば、各光反射素子の光反射面の向きを右方向と左方向とに選択的に変えることにより、２台の画像表示プロジェクタからの画像投射光のうちの何れか一方を選択的に反射させて、２台の画像表示プロジェクタによる画像を素早く切替えて表示することができる。このとき、一方の画像表示プロジェクタから投射される画像投射光は画像表示面の正面方向に反射される状態となり、他方のプロジェクタから投射される画像投射光は、画像表示面から反射されない状態となるため、２台のプロジェクタによる画像は、交じり合うことがなく確実に切り替えられると共に、画像表示面の正面に向けて最も明るく表示される。
【００１２】
請求項２の発明は、画像表示プロジェクタから投射される画像投射光を反射することにより該画像投射光による画像を表示する画像表示面を備えた画像表示プロジェクタ用のスクリーン装置において、画像表示面を構成する、画像投射光を反射する縦横に配列された多数の光反射素子を備え、各光反射素子の画像投射光を反射する光反射面が、画像表示面の正面方向を基準として任意の方向に傾き得るものである。
【００１３】
この構成においては、画像表示プロジェクタを画像表示面の正面の横側に設置して画像投射光を画像表示面に対して斜めに投射し、画像表示面を構成する各光反射素子の光反射面を画像表示プロジェクタの設置側に傾けると、画像投射光は各光反射素子にて反射されて画像表示面に画像が表示される。また、各光反射素子の光反射面を画像表示プロジェクタの設置側と反対側に傾けると、画像投射光は各光反射素子にて反射されず、画像表示面には画像が表示されない。従って、光反射素子の光反射面の向きを変えることにより、画像表示プロジェクタから画像投射光を投射したままの状態で、画像が表示される表示状態と画像が表示されない非表示状態とを素早く切替えることができる。また、例えば、２台の画像表示プロジェクタを画像表示面の正面の左右両側に設置して２台の画像表示プロジェクタから同時に画像投射光を投射すれば、各光反射素子の光反射面の向きを２台の画像表示プロジェクタの設置側に選択的に変えることにより、２台の画像表示プロジェクタによる画像を素早く切替えて表示することができる。
【００１４】
請求項３の発明は、請求項２に記載の画像表示プロジェクタ用のスクリーン装置において、各光反射素子は、光反射面が画像表示面の正面方向を基準として右方向及び左方向に傾き得るものであり、光反射面は、光反射面と画像表示面との成す角度が略３０°の状態に右方向及び左方向へ選択的に傾けられるものである。
【００１５】
この構成においては、画像表示面を構成する各光反射素子の光反射面が右方向へ傾けられた状態では、右方向から画像表示面との成す角度が略３０°で投射される画像投射光は、光反射面で画像表示面の正面方向に反射され、左方向から画像表示面との成す角度が略３０°で投射される画像投射光は、光反射面と平行となるため光反射面で反射されない。逆に、各光反射素子の光反射面が左方向へ傾けられた状態では、右方向から画像表示面との成す角度が略３０°で投射される画像投射光は、光反射面と平行となるため光反射面で反射されず、左方向から画像表示面との成す角度が略３０°で投射される画像投射光は、光反射面で画像表示面の正面方向に反射される。
【００１６】
従って、右方向又は左方向から画像表示面との成す角度が略３０°で画像投射光を投射すれば、各光反射素子の光反射面の向きを右方向と左方向とに選択的に変えることにより、画像の表示状態と非表示状態とが確実に切替えられる。また、２台の画像表示プロジェクタを用いて右方向及び左方向から画像表示面との成す角度が略３０°で同時に画像投射光を投射すれば、各光反射素子の光反射面の向きを右方向と左方向とに選択的に変えることにより、２台のプロジェクタによる画像は、交じり合うことがなく確実に切り替えられると共に、画像表示面の正面に向けて最も明るく表示される。
【００１７】
【発明の実施の形態】
以下、本発明を具体化した実施形態について図面を参照して説明する。図１及び図２において、画像表示プロジェクタ用のスクリーン装置１は、画像表示プロジェクタ２Ａ，２Ｂから投射される画像投射光２０ａ，２０ｂによる画像を画像表示面３に表示するものであり、縦横に配列された多数の光反射素子４と、これら多数の光反射素子４を支持する支持板５とを備えており、縦横に配列された多数の光反射素子４により画像表示面３が構成されている。画像表示プロジェクタ２Ａ，２Ｂは、各々、パソコンやビデオカメラ等からの画像データを基に、内蔵のランプ（不図示）から出射される光を用いて内蔵の画像形成素子（不図示）により画像を形成し、その画像を画像投射光２０ａ，２０ｂとして画像投射口２１ａ，２１ｂから投射する。
【００１８】
スクリーン装置１は、画像表示プロジェクタ２Ａ，２Ｂから投射される画像投射光２０ａ，２０ｂを画像表示面３（すなわち縦横に配列された多数の光反射素子４）で反射することにより、その画像投射光２０ａ，２０ｂによる画像を画像表示面３に映し出して表示する。また、このスクリーン装置１は、各光反射素子４の向きを変えることにより、画像表示プロジェクタ２Ａ，２Ｂから、スクリーン装置１の正面（すなわち画像表示面３の正面）方向Ｃを基準として右方向Ｒ及び左方向Ｌから画像投射光軸２２ａ，２２ｂと画像表示面３との成す角度が略３０°で同時に投射される画像の何れか一方を選択的に表示することを可能にしている。
【００１９】
次に、上記光反射素子４及び支持板５の構成について、図３（ａ）（ｂ）を参照して説明する。光反射素子４は、上記画像投射光２０ａ，２０ｂを反射するものであり、光反射面４１と、軸支孔（係合部）４２と、磁性体４３とを備えている。この光反射素子４は、上述のように多数のものが縦横に配列されて支持板５に支持されている。
【００２０】
光反射面４１は、上記画像投射光２０ａ，２０ｂを反射する面であり、磁性体４３の表面に白色の塗料が塗布されて形成されている。光反射面４１は、例えば、一辺が４〜５［ｍｍ］程度の矩形状をしている。軸支孔４２は、光反射面４１がスクリーン装置１の正面方向Ｃを基準として右方向Ｒ及び左方向Ｌに傾き得るように、光反射素子４を水平面内で回動自在に支持板５の支持軸５１に係合するものである。軸支孔４２は、光反射面４１の背後側に設けられており、鉛直方向に開口されている。磁性体４３は、光反射素子４を回動させる（従って光反射面４１を傾ける）ための磁力の作用を受けるものであり、水平面と平行な断面が軸支孔４２を頂点とする略二等辺三角形をした略三角柱の形状をしている。この磁性体４３の水平面と平行な断面における二等辺三角形の底辺と二等辺との成す角度は略３０°となっている。
【００２１】
支持板５は、各光反射素子４を支持するものであり、基板部５１と、支持軸（係合部）５２と、電磁石５３ａ，５３ｂと、規制部５４ａ，５４ｂとを備えている。基板部５１は、樹脂やセラミック等の非磁性材料により形成されている。支持軸５２は、各光反射素子４の軸支孔４２が係合されるものであり、各光反射素子４に対応して多数のものが縦横に配列して設けられている。支持軸５２は、鉛直方向に伸びている。電磁石５３ａ，５３ｂは、各光反射素子４の磁性体４３に磁力を作用させて、光反射素子４を回動させるものであり、各光反射素子４に対応して各支持軸５２の右側及び左側に設けられている。電磁石５３ａ，５３は、その一部が基板部５１から露出するように支持板５に埋め込まれており、図示省略の通電部により通電制御されるようになっている。
【００２２】
規制部５４ａ，５４ｂは、電磁石５３ａ，５３ｂの磁力による光反射素子４の回動動作時に、光反射素子４の回動動作を規制するために光反射素子４の背後側に当接される部位である。規制部５４ａ，５４ｂは、各光反射素子４に対応して各支持軸５２の右側及び左側に設けられており、基板部５１の表面の一部及び電磁石５３ａ，５３ｂの基板部５１からの露出部により構成されている。
【００２３】
次に、上記スクリーン装置１の光反射素子４による光反射動作について、図４（ａ）（ｂ）を参照して説明する。スクリーン装置１は、図４（ａ）に示すように、各電磁石５３ａが通電されると、各光反射素子４が各電磁石５３ａの発生する磁力により画像表示面３（光反射素子４の配列面）の正面方向Ｃを基準として右方向Ｒに回動される。このとき、光反射素子４の背面は、規制部５４ａに当接される。規制部５４ａの表面（光反射素子４の背面が当接される面）は、画像表示面３と略平行でかつ支持軸５１を通る平面となっている。従って、各光反射素子４が各電磁石５３ａの磁力により右方向Ｒに回動されると、各光反射素子４の背面が規制部５４ａの表面に当接して、光反射面４１と画像表示面３との成す角度が略３０°で光反射面４１が右方向Ｒを向いて傾いた状態となる。
【００２４】
このように各光反射素子４の光反射面４１が右方向Ｒを向いた状態では、右方向Ｒから画像表示面３との成す角度が３０°で投射される光Ａは、各光反射素子４の光反射面４１の法線Ｎに対して３０°で入射し、各光反射素子４の光反射面４１にて画像表示面３の正面方向に反射されることになる。また、この状態では、左方向Ｌから画像表示面３との成す角度が略３０°で投射される光Ｂは、各光反射素子４の光反射面４１と平行となるため、光反射面４１で反射されない。
【００２５】
一方、スクリーン装置１は、図４（ｂ）に示すように、各電磁石５３ｂが通電されると、各光反射素子４が各電磁石５３ｂの発生する磁力により画像表示面３の正面方向Ｃを基準として左方向Ｌに回動される。このとき、光反射素子４の背面は、規制部５４ｂに当接される。規制部５４ｂの表面は、画像表示面３と略平行でかつ支持軸５１を通る平面となっている。従って、各光反射素子４が各電磁石５３ｂの磁力により右方向Ｌに回動されると、各光反射素子４の背面が規制部５４ｂの表面に当接して、光反射面４１と画像表示面３との成す角度が略３０°で光反射面４１が左方向Ｌを向いて傾いた状態となる。
【００２６】
このように各光反射素子４の光反射面４１が左方向Ｌを向いた状態では、右方向Ｒから画像表示面３との成す角度が３０°で投射される光Ａは、各光反射素子４の光反射面４１と平行となるため、光反射面４１で反射されない。また、この状態では、左方向Ｌから画像表示面３との成す角度が略３０°で投射される光Ｂは、各光反射素子４の光反射面４１の法線Ｎに対して３０°で入射し、各光反射素子４の光反射面４１にて画像表示面３の正面方向に反射されることになる。
【００２７】
従って、例えば、図１に示すように、２台の画像表示プロジェクタ２Ａ，２Ｂを画像表示面３の正面の左右両側に設置して、右方向Ｒ及び左方向Ｌから画像投射光軸２２ａ，２２ｂと画像表示面３との成す角度が略３０°で画像投射光２０ａ，２０ｂを投射し、この状態で各光反射素子４の光反射面４１を右方向Ｒに傾けたとする。すると、画像表示プロジェクタ２Ａの画像投射光２０ａは、各光反射素子４の光反射面４１で反射され、これにより、画像表示プロジェクタ２Ａによる画像が画像表示面３に表示される。このとき、画像投射光２０ａは、概ね画像表示面３の正面方向Ｃに反射されるため、画像表示プロジェクタ１０Ａによる画像は、画像表示面３の正面方向Ｃに向けて最も明るく表示される。一方、画像表示プロジェクタ２Ｂの画像投射光２０ｂは、各光反射素子４の光反射面４１で殆ど反射されず、画像表示プロジェクタ２Ｂによる画像は画像表示面３に表示されない。
【００２８】
また、このような画像表示プロジェクタ２Ａ，２Ｂからの画像投射光２０ａ，２０ｂの投射状態で、各光反射素子４の光反射面４１を左方向Ｌに傾けたとする。すると、画像表示プロジェクタ２Ａの画像投射光２０ａは、各光反射素子４の光反射面４１で殆ど反射されず、画像表示プロジェクタ２Ａによる画像は画像表示面３に表示されない。一方、画像表示プロジェクタ２Ｂの画像投射光２０ｂは、各光反射素子４の光反射面４１で反射され、これにより、画像表示プロジェクタ２Ｂによる画像が画像表示面３に表示される。このとき、画像投射光２０ｂは、概ね画像表示面３の正面方向Ｃに反射されるため、画像表示プロジェクタ２Ｂによる画像は、画像表示面３の正面方向Ｃに向けて最も明るく表示される。
【００２９】
これにより、上記のように２台の画像表示プロジェクタ２Ａ，２Ｂを画像表示面３の正面の左右両側に設置して、右方向Ｒ及び左方向Ｌから画像投射光軸２２ａ，２２ｂと画像表示面３との成す角度が略３０°で画像投射光２０ａ，２０ｂを投射すれば、各光反射素子４の光反射面４１の向きを右方向Ｒと左方向Ｌとに選択的に変えることにより、画像表示プロジェクタ２Ａ，２Ｂによる画像を選択的に切替えて表示することができる。このようにすれば、各光反射素子４の光反射面４１の向きを変える動作時間は、プロジェクタ２Ａ，２Ｂを画像の非投射状態から投射状態に切替える動作時間よりも早いため、画像表示プロジェクタ２Ａ，２Ｂによる画像を素早く瞬時に切替えて表示することができる。
【００３０】
なお、本発明は、上記実施形態の構成に限られず、種々の変形が可能である。例えば、上記実施形態において、光反射素子の光反射面の大きさは、画像表示プロジェクタの画像解像度等に応じて適宜の大きさのものでよく、光反射面の形状は、矩形状に限られず、例えば三角形や六角形等であってもよい。また、光反射素子は、磁性体の表面に光反射面を形成した構造に限られず、例えば白色の樹脂成形体の表面を光反射面とし、その樹脂成形体に磁性体を埋め込んだ構造であってもよい。光反射素子の回動方向は、左右方向（水平面内の回動）に限らず、他の方向に回動するものであってもよい。また、２台の画像表示プロジェクタに限らず、１台の画像表示プロジェクタを画像表示面３の正面の周囲に設置し、画像投射光を画像表示面３に対して斜めに投射して画像を表示させてもよい。
【００３１】
【発明の効果】
以上説明したように請求項１の発明によれば、画像表示面を構成する各光反射素子の光反射面が、光反射面と画像表示面との成す角度が略３０°の状態に画像表示面の正面方向を基準として右方向及び左方向へ傾けられるため、２台の画像表示プロジェクタを画像表示面の正面の左右両側に設置して、各光反射素子の光反射面の向きを右方向又は左方向に変えることにより、２台の画像表示プロジェクタによる画像を瞬時に切替えて表示することができる。しかも、これらの画像を画像表示面の正面に向けて最も明るく表示することができる。また、２台の画像表示プロジェクタを画像表示面の正面の左右両側に設置することにより、画像表示面の正面を画像を見るための視野スペースとして使用できる。
【００３２】
請求項２の発明によれば、画像表示面を構成する各光反射素子の光反射面が画像表示面の正面方向を基準として任意の方向に傾き得るため、２台の画像表示プロジェクタを画像表示面の正面の左右両側に設置して、各光反射素子の光反射面の向きを変えることにより、２台の画像表示プロジェクタによる画像を瞬時に切替えて表示することができる。また、２台の画像表示プロジェクタを画像表示面の正面の左右両側に設置することにより、画像表示面の正面を画像を見るための視野スペースとして使用できる。
【００３３】
請求項３の発明によれば、各光反射素子の光反射面が光反射面と画像表示面との成す角度が略３０°の状態に右方向及び左方向へ選択的に傾けられるため、２台の画像表示プロジェクタを用いて画像表示面に対して略３０°の角度で右方向及び左方向から画像投射光を投射することにより、２台の画像表示プロジェクタによる画像を瞬時に切替えて表示できることに加え、それらの画像を画像表示面の正面から見て最も効果的に明るく表示することができる。
【図面の簡単な説明】
【図１】本発明の一実施形態に係る画像表示プロジェクタ用のスクリーン装置の使用例を概略説明図。
【図２】同スクリーン装置の概略構成を示す斜視図。
【図３】（ａ）は同スクリーン装置の光反射素子及び支持板の構成を示す斜視図、（ｂ）は（ａ）のＰ−Ｐ断面図。
【図４】（ａ）は同スクリーン装置の光反射素子による光反射動作を説明する光反射素子を右方向に回動させた状態の断面図、（ｂ）は同光反射素子を左方向に回動させた状態の断面図。
【符号の説明】
１  画像表示プロジェクタ用のスクリーン装置
２Ａ，２Ｂ  画像表示プロジェクタ
３  画像表示面
４  光反射素子
５  支持板
４１  光反射面
４２  軸支孔（係合部）
４３  磁性体
５１  基板部
５２  支持軸（係合部）
５３ａ，５３ｂ  電磁石
５４ａ，５４ｂ  規制部
【図１】
2005010399.tif 000003
【図２】
2005010399.tif 000004
【図３】
2005010399.tif 000005
【図４】
2005010399.tif 000006